(57)【要約】【課題】  近年はビルの大型化や管理エリアの大規模化によって、シリンダーに膨大な鍵違い数が求められるようになった。  錠破りの１種であるピッキングによる被害が増え、ピッキング技術も高度化している。それらに対応する為に年々シリンダー構造も複雑になっている。  その事から従来の技術で簡単に作れて、膨大な鍵違い数を得易く、ピッキングに強く、生産性が高く、故障の少ないシリンダーを実現する事が課題である。【解決手段】従来仕切りで仕切られた区画毎に１個のタンブラーを組み入れていたシリンダーに対して、区画毎に複数のタンブラーを組み入れる事で、従来の技術で膨大な鍵違い数を得易く、ピッキングに強く、生産性の良いシリンダーを実現した。結果区画と区画を仕切る仕切りの数を減らしたり、２個のタンブラーを１個のタンブラーバネで動かす事が可能となり、シリンダーの小型化にも成功した。【選択図】図２
2007002470.tif 000002
【特許請求の範囲】
【請求項１】
合鍵（１０）を抜き差しするときにタンブラーが直線運動や回転運動するシリンダーにおいて、タンブラーを組み入れる為の仕切り（６）で仕切った１つの区画（１）に対して複数のタンブラー（１１）を組み入れ、区画毎に複数のタンブラーを組み入れたことを特徴とするシリンダー構造。
【請求項２】
１つの区画（１）に組み入れた２個のタンブラー（１１ａ）（１１ｂ）に対して１個のタンブラーバネ（１２）を組み付け、１個のタンブラーバネで２個のタンブラーを動かすことを特徴とする請求項１記載のシリンダー構造。
【請求項３】
１つの区画内の複数のタンブラー（１１ａ）（１１ｂ）（１１ｃ）に対して合鍵の鍵軸（１７）に設けた個別の鍵溝（２１ａ）（２１ｂ）（２０）で対応し、タンブラー毎に個別の鍵溝で動かすことを特徴とする請求項１、２記載のシリンダー構造。
【請求項４】
１つの区画内の複数のタンブラー（１１ａ）（１１ｂ）に対して、合鍵の鍵軸（１７）に設けた同一の鍵溝（２０ａ）で対応し、複数のタンブラーを１個の鍵溝で動かすことを特徴とする請求項１、２記載のシリンダー構造。
【発明の詳細な説明】
【技術分野】
【０００１】
シリンダーの１つのタンブラー区画に複数のタンブラーを組み入れた技術に関する。
【背景技術】
【０００２】
近年、ビルの大型化や管理エリアの大規模化により、シリンダーのキーシステムプランにおいて膨大な鍵違い数が要求されるようになった。
しかも、キーシステムプランの複雑化によってさらに膨大な鍵違い数が求められている。
【０００３】
また、ピッキング等の不正解錠が増加し、その手口も高度化していることから、ピッキング防止対策も高度な対策が求められるようになってきた。
【０００４】
以上の問題に対応するため、シリンダーの構造を複雑にした錠前が増えてきているが、複雑であるがゆえに、生産効率が低い、操作性が悪い等の問題を抱えることとなった。
【特許文献１】実公昭５８−４０１９８
【発明の開示】
【発明が解決しようとする課題】
【０００５】
課題は０００２〜０００４の問題を解決することである。
即ち、膨大な鍵違い数が得易く、複雑なキーシステムプランに対応し易く、ピッキングしにくく、生産性が良く、故障しにくく、操作性が良いシリンダー構造を実現することが課題である。
【０００６】
従来のシリンダーについて説明する。
シリンダーの構造からシリンダーの種類を分けると、タンブラーピンとドライバーピンを１組としてピンの区画に１組ずつ組み付けるピンシリンダーと、１区画に１個のタンブラーを組み付けるディスクシリンダーに分けることができる。
【０００７】
ディスクシリンダーとピンシリンダーの構造を比べると、ディスクシリンダーの方が量産に向く構造で、安価に生産でき、多くの種類の機能を設けるのに適している。
そこで本発明では、タンブラーを使用したシリンダー構造を基に課題を解決することとした。
【０００８】
従来のタンブラーを使ったシリンダーの共通する構造を、図１０に基づいて説明する。
シリンダーにタンブラー（３６）の数だけ仕切り（３４）で仕切った区画（３５）を設け、１つの区画に１個のタンブラーを組み付ける。
１個のタンブラーには１個のタンブラーバネ（３７）を組み付け、タンブラーを動かす。
１個のタンブラーは合鍵の１か所の鍵溝（３８）で対応する。それゆえ、鍵溝の数とタンブラーの数とタンブラーバネの数と区画の数は常に一致する。
【０００９】
このタンブラーを使ったシリンダーを、タンブラーの動きから２種類に分けることができる。即ち、図４と図８で示したタンブラーが直線運動をするシリンダー構造と、図６で示したタンブラーがタンブラー軸を中心として回転運動をするシリンダー構造である。
また、タンブラーの固定機構による分け方では、図４と図６で示したロッキングバーを使用する構造と、図８で示したロッキングバーを使わない構造に分けることができる。
かかるタンブラーを使ったすべてのシリンダー構造に於いて問題を解決することが課題である。
【課題を解決するための手段】
【００１０】
従来のシリンダー生産技術で生産でき、鍵違い数を大幅に増加させる方法を考えた場合には、単純にタンブラーの数を増やすとシリンダーの長さが長くなり、その分の仕切りや区画やタンブラーバネが増加する等の不都合が生ずる。
【００１１】
そこで、シリンダーのタンブラーを増やしてもシリンダーの長さが長くならず、部品数も増加しない方法として、シリンダーのタンブラーを入れる１つの区画にタンブラーを複数入れることを考えた。
これによれば、タンブラーが増えても仕切りの数と区画の数を逆に減らすことができる。その結果、タンブラーを増やしてもシリンダーの長さを短くすることができる。
それが請求項１記載のシリンダー構造である。
【００１２】
図２で示したのが仕切り（６）で仕切った１つの区画（１）（２）（３）（４）毎にタンブラー（１１ａ）（１１ｂ）（１１ｃ）を３個入れたものである。
図５で示したのが仕切り（６）で仕切った１つの区画（１）（２）（３）（４）（５）毎にタンブラー（１１ａ）（１１ｂ）を２個入れたものである。
図７で示したのが仕切り（６）で仕切った１つの区画（１）（２）（３）（４）毎にタンブラー（１１ａ）（１１ｂ）（１１ｃ）（１１ｄ）を４個入れたものである。
タンブラーの数を増やしてもタンブラーを仕切る仕切り（６）が少ないので、シリンダーの長さは長くならず、シリンダーの部品もあまり増えない。
【００１３】
もっとも、タンブラーが増えれば、そのタンブラーを動かすタンブラーバネもその分必要となるが、    できればタンブラーバネの数も増やしたくない。
それを解決したのが、請求項２に記載した発明である。２個のタンブラーを１個のタンブラーバネで動かすようにしたシリンダー構造である。
図２、４が１区画ごとに１個のタンブラーバネ（１２）で２個のタンブラー（１１ａ）（１１ｂ）を動かすものである。これは区画毎に複数のタンブラーを入れることで可能となる。
図２、４のものではタンブラーバネ（１２）で２個のタンブラー（１１ａ）（１１ｂ）を引き寄せるように両タンブラーを連結したものである。合鍵を差し込めば両タンブラーは引き分けられる。３個目のタンブラー（１１ｃ）は自由遊動でタンブラーバネを設けない。
【００１４】
図７、８は１区画毎に２個のタンブラーバネ（１２ａ）（１２ｂ）を組み付け、タンブラーバネ毎に２個のタンブラーを動かすものである。
１つのタンブラーバネ（１２ａ）で２個のタンブラー（１１ａ）（１１ｂ）を動かし、１つのタンブラーバネ（１２ｂ）で２個のタンブラー（１１ｃ）（１１ｄ）を動かす。
このタンブラーバネは、各々のタンブラーを引き分けるように両タンブラーを連結したものである。合鍵を差し込めば両タンブラーは引き寄せられる。
このようにタンブラーバネは、タンブラーを引き寄せる方向にも押し分ける方向にも使うことができる。
【００１５】
ところで、１つの区画内に複数のタンブラーを組み付けた場合に、それらのタンブラーを合鍵のどのキザミである鍵溝で動かすかの問題がある。
１区画内の複数のタンブラーを個別の鍵溝で動かすか、同一の鍵溝で動かすかである。それを解決したのが請求項３、４記載のシリンダー構造である。
【００１６】
請求項３記載の、１区画内の個々のタンブラーに対して合鍵の個々の鍵溝１か所で動かすことを示すのが、図２、３、４である。１区画（１）の３個のタンブラーの内１個のタンブラー（１１ａ）を合鍵の１つの鍵溝（２１ａ）で動かし、１個のタンブラー（１１ｂ）を１つの鍵溝（２１ｂ）で動かし、１個のタンブラー（１１ｃ）を鍵溝（２０）で動かす。
３個のタンブラーの内の１個（１１ｃ）は、１本の鍵溝うねり（２６）の内の１か所を鍵溝として使用した。
このように、タンブラー毎に個別の鍵溝で対処する手段は、区画毎にタンブラーを１個入れる従来のシリンダーと同じ手段を１区画の複数のタンブラーに対して用いたものということができる。
【００１７】
請求項４記載の、１区画内の複数の個々のタンブラーに対して、合鍵の鍵溝１か所で対処するのが、図８、９である。そのシリンダーに使用する合鍵の鍵溝形状を示すのが、図３Ａで示したように鍵溝うねり（２６）を設け、鍵先に鍵溝先開口（２５）を持つ合鍵である。
図７、８では合鍵の片面毎に各々２個のタンブラーを入れ、１区画で４個のタンブラーを入れたシリンダーで、合鍵の上面の鍵溝（２０ａ）で２個のタンブラー（１１ａ）（１１ｂ）を動かし、下面の鍵溝（２０ｂ）で２個のタンブラー（１１ｃ）（１１ｄ）を動かす。
シリンダーに合鍵を差し込むと、鍵先に設けた鍵溝先開口（２５）ですべてのタンブラーのガイド山（１９ａ）（１９ｂ）（１９ｃ）（１９ｄ）を鍵溝に集めることによって、１個の鍵溝で複数のタンブラーに対処することができる。
【発明の効果】
【００１８】
１つの区画に複数のタンブラーを入れるシリンダー構造とすることで、仕切りの数と区画の数を増やさずに、タンブラーの数を増やす事が可能となり、ひいてはシリンダーの鍵違い数を増やすことができる。
また、０００５で示したシリンダー構造を実現することができる。
【発明を実施するための最良の形態】
【００１９】
発明のシリンダー構造を図に基づいて説明する。
図２、３、４は、シリンダーの仕切り（６）で区切った１つの区画（１）、（２）、（３）、（４）毎にタンブラー（１１ａ）（１１ｂ）（１１ｃ）を３個入れたシリンダーを示す。
このシリンダーは、合鍵の抜き差し時にタンブラーが直接運動するシリンダーであり、タンブラーにロッキングバー（１３）を組み合わせて鎖錠する。
【００２０】
３個のタンブラーの内の２個のタンブラー（１１ａ）（１１ｂ）を１個のタンブラーバネ（１２）で連結し、２個のタンブラーを１個のタンブラーバネで動かす。
あとの１個のタンブラー（１１ｃ）にはタンブラーバネを使わず、タンブラーは自由遊動方式とすることでピッキング時の指先の感触を狂わせる。このタンブラーにもタンブラーバネを設けることも可能である。
図２、３で示したシリンダーでは、タンブラーが合計１２個ありながら仕切り（６）は３個しか無い。区画は４個しか無い。その分シリンダーの長さは短くすることができ、ひいては、鍵違い数を増やすことができる。
【００２１】
図５、６は、仕切り（６）で区切った１つの区画（１）、（２）、（３）、（４）、（５）毎にタンブラー（１１ａ）（１１ｂ）を２個入れたものを示す。
このシリンダーは、合鍵の抜き差し時にタンブラー（１１ａ）（１１ｂ）がタンブラー軸（２７）を中心に回転運動するシリンダーであり、タンブラーにロッキングバー（１３）を組み合わせて鎖錠する。
２個のタンブラーには、タンブラー（１１ａ）（１１ｂ）毎に個別のタンブラーバネ（１２ａ）（１２ｂ）を組み付けた事を示す。タンブラーバネは２個のタンブラーを１個で動かしても良い。その場合のバネの使い方は両タンブラーを引き寄せるように組み付ける。
このシリンダーは、タンブラーの合計が１０個に対し、仕切り（６）が４個、区画（１）、（２）、（３）、（４）、（５）が５個である。
【００２２】
図７、８は、シリンダーの仕切り（６）で区切った１つの区画（１）、（２）、（３）、（４）毎にタンブラー（１１ａ）（１１ｂ）（１１ｃ）（１１ｄ）を４個入れたことを示す。
図９は、その１つの区画に入れる４個のタンブラーと、そのタンブラーを動かす鍵軸（１７）の鍵溝（２０ａ）（２０ｂ）を示す。
タンブラーは、１つの区画の上方に２枚１組で入れ、下方に２枚１組で入れる。
タンブラー毎にタンブラーを合鍵で動かすためのガイド山（１９）を設ける。
このタンブラーを動かす合鍵の鍵溝は、図３Ａで示した鍵溝うねり（２６）として、鍵先に設けた鍵溝先開口（２５）によって、合鍵をシリンダーに差し込んだ時に複数のタンブラーのガイド山（１９）を集める。ガイド山を鍵溝うねりによって誘導し、タンブラーを所定の鍵溝（２０ａ）（２０ｂ）位置に誘導する。
【００２３】
このシリンダーは合鍵の抜き差し時にタンブラーが直線運動するシリンダーであり、タンブラーにロッキングバーを設けないシリンダーである。内筒に組み付けたタンブラーが、タンブラー（１１）毎に、タンブラー爪（３０）が外筒（７）のタンブラー爪受け溝（２９）に引掛かることで鎖錠状態となる。
タンブラーバネは上方の２個のタンブラー（１１ａ）（１１ｂ）を１個のタンブラーバネ（１２ａ）で動かし、下方の２個のタンブラー（１１ｃ）（１１ｄ）を１個のタンブラーバネ（１２ｂ）で動かす。
図８では、連結した２個のタンブラーを押し分けるようにバネを組み付けたものを示しているが、引き寄せるようにタンブラーバネを組み付けることも可能である。
このシリンダーは１６個のタンブラーに対して仕切り（６）が３個で、区画（１）、（２）、（３）、（４）が４個である。
【図面の簡単な説明】
【００２４】
【図１】発明のシリンダーの斜視図である。
【図２】図１のAA断面で、１区画毎にタンブラーを３個入れたことを示す。
【図３】Ａ．図２に使用する合鍵で、上から見た図である。  Ｂ．横から見た図である。
【図４】Ａ．図２のＡ位置断面で、合鍵を抜いた状態を示す。  Ｂ．合鍵を差した状態を示す。  Ｃ．図２のＢ位置断面で、合鍵を抜いた状態を示す。    Ｄ．合鍵を差した状態を示す。    Ｅ．図２のＣ位置断面で、合鍵を抜いた状態を示す。  Ｆ．合鍵を差した状態を示す。
【図５】１区画毎にタンブラーを２個入れたことを示す。
【図６】Ａ．図５のＤ位置断面で、合鍵を抜いた状態を示す。  Ｂ．合鍵を差した状態を示す。  Ｃ．図５のＥ位置断面で、合鍵を抜いた状態を示す。    Ｄ．合鍵を差した状態を示す。
【図７】１区画毎にタンブラーを４個入れたことを示す。
【図８】Ａ．図７のＦとG位置複合断面で、合鍵を抜いた状態を示す。  Ｂ．合鍵を差した状態を示す。
【図９】図８の１区画のタンブラーと、そのタンブラーに対応する鍵軸の鍵溝を示す。
【図１０】Ａ．従来の１区画に１個のタンブラーを入れたシリンダーを示す。  Ｂ．Ａ図のシリンダーに使用する合鍵を示す。
【符号の説明】
【００２５】
１        １区画
２        ２区画
３        ３区画
４        ４区画
５        ５区画
６        仕切り
７        外筒
８        内筒
９        鍵穴
１０      合鍵
１１      タンブラー
１２      タンブラーバネ
１３      ロッキングバー
１４      ロッキングバー受け溝
１５      ロッキングバーバネ
１６      抜け止め
１７      鍵軸
１８      タンブラー鍵穴
１９      ガイド山
２０      鍵溝
２１      鍵溝
２２      鍵溝
２３      鍵溝
２４      鍵溝
２５      鍵溝先開口
２６      鍵溝うねり
２７      タンブラー軸
２８      タンブラー補強材
２９      タンブラー爪受け溝
３０      タンブラー爪
３１      外筒
３２      内筒
３３      鍵穴
３４      仕切り
３５      区画
３６      タンブラー
３７      タンブラーバネ
３８      鍵溝
【図１】
2007002470.tif 000003
【図２】
2007002470.tif 000004
【図３】
2007002470.tif 000005
【図４】
2007002470.tif 000006
【図５】
2007002470.tif 000007
【図６】
2007002470.tif 000008
【図７】
2007002470.tif 000009
【図８】
2007002470.tif 000010
【図９】
2007002470.tif 000011
【図１０】
2007002470.tif 000012